(57)【特許請求の範囲】
【請求項１】
右足に着用するための右足用靴下と、左足に着用するための左足用靴下とで構成された一組の靴下であって、
右足用靴下のつま先に形成された指袋と左足用靴下のつま先に形成された指袋とが左右非対称であることにより、右足用靴下と左足用靴下とが左右非対称であることを特徴とする靴下。
【請求項２】
右足用靴下のつま先に、親指、人差し指、中指及び薬指を一まとめに挿入するための内側指袋と、小指を単独で挿入するための外側指袋とが形成され、左足用靴下のつま先に、親指を単独で挿入するための内側指袋と、人差し指、中指、薬指及び小指を一まとめに挿入するための外側指袋とが形成された請求項１記載の靴下。
【請求項３】
右足用靴下のつま先に、親指を単独で挿入するための内側指袋と、人差し指、中指、薬指及び小指を一まとめに挿入するための外側指袋とが形成され、左足用靴下のつま先に、親指、人差し指、中指及び薬指を一まとめに挿入するための内側指袋と、小指を単独で挿入するための外側指袋とが形成された請求項１記載の靴下。
【請求項４】
右足用靴下と左足用靴下のそれぞれにテーピング加工が施され、右足用靴下に施されたテーピング加工部のパターンと、左足用靴下に施されたテーピング加工部のパターンとが左右非対称である請求項１記載の靴下。
【請求項５】
右足に着用するための右足用靴下と、左足に着用するための左足用靴下とで構成された一組の靴下であって、
右足用靴下における足被覆部の外側縁に沿った箇所と左足用靴下における足被覆部の内側縁に沿った箇所のそれぞれに連続したテーピング加工部が形成され、右足用靴下における足被覆部の内側縁に沿った箇所と左足用靴下における足被覆部の外側縁に沿った箇所のそれぞれに分断されたテーピング加工部が形成されて、右足用靴下に施されたテーピング加工部のパターンと左足用靴下に施されたテーピング加工部のパターンとが左右非対称とされることにより、
右足用靴下と左足用靴下とが左右非対称であることを特徴とする靴下。
【請求項６】
右足に着用するための右足用靴下と、左足に着用するための左足用靴下とで構成された一組の靴下であって、
右足用靴下における足被覆部の内側縁に沿った箇所と左足用靴下における足被覆部の外側縁に沿った箇所のそれぞれに連続したテーピング加工部が形成され、右足用靴下における足被覆部の外側縁に沿った箇所と左足用靴下における足被覆部の内側縁に沿った箇所のそれぞれに分断されたテーピング加工部が形成されて、右足用靴下に施されたテーピング加工部のパターンと左足用靴下に施されたテーピング加工部のパターンとが左右非対称とされることにより、
右足用靴下と左足用靴下とが左右非対称であることを特徴とする靴下。
【請求項７】
着用者の足を締め付けるための締付力が、右足用靴下と左足用靴下のそれぞれにおける足先側から足元側にかけて段階的又は連続的に弱まるよう形成された請求項１〜６いずれか記載の靴下。
【発明の詳細な説明】
【技術分野】
【０００１】
本発明は、右足に着用するための右足用靴下と、左足に着用するための左足用靴下とで構成された一組の靴下に関する。特に、ゴルフ、テニス、バトミントン、野球、バレーボールなど、右足と左足に左右非対称な荷重の掛かりやすい利き足依存型のスポーツや作業をする際に着用するのに適した靴下に関する。
【背景技術】
【０００２】
ゴルフで生じうるミスショットとして、スライスや、トップや、ダフリなどが知られている。これらのミスショットが発生する原因は様々であるが、蹴り足（右打ちのゴルファーでは右足、左打ちのゴルファーでは左足）から軸足（右打ちのゴルファーでは左足、左打ちのゴルファーでは右足）への体重移動が上手くできなくなり、スイングのタイミングが狂ったことなどが影響している場合も多い。
【０００３】
このようなミスショットは、なにも初心者に限った話ではなく、トップアマチュアやプロゴルファーにも起こりうる。例えば、トーナメントを戦うプロゴルファーでも、大会最終日（通常、大会四日目）ともなると、蹴り足から軸足への体重移動が上手くできなくなり、スコアを大きく崩すことがある。これは、疲労などによって、右足と左足の感覚が鈍ったことなどが影響していると思われる。
【０００４】
どのような状況下でも右足と左足の感覚を保つことができ、蹴り足から軸足への体重移動が上手くできるようになれば、スライスやトップやダフリなどのミスショットの発生を防ぐことができ、スコアアップに繋げることができるのであろうが、これを実践することは必ずしも容易ではなかった。というのも、右足と左足の感覚は、ゴルファーがいくら保とうと意識しても、肉体的疲労や精神的緊張によって不可避的に鈍ってしまうからである。
【０００５】
スライスやトップやダフリなどのミスショットの発生を抑えることを目的とした器具は、これまでに、クラブに取り付けるものや、人体に装着するものなど、各メーカーから様々なタイプのものが提案されているが、試合での使用がルールで認められるもので、簡素で安価ながらも、実効性のあるものは殆ど見当たらなかった。特に、右足と左足の感覚を適正に保つことにより、蹴り足から軸足への体重移動を上手くできるようにするものは見当たらなかった。
【０００６】
ところで、特許文献１には、親指を収納するための親指収納部と、他の四指を収納するための四指収納部とを分離して形成した靴下が記載されている。これにより、素足に近い状態で親指を保持することが可能になり、靴下の運動機能を高めることができるとされている。この靴下は、ゴルフで着用することを想定したものとなっている。
【０００７】
また、特許文献２には、アキレス腱を締め付けるための第一締付部と、土踏まずを締め付けるための第二締付部とからなり、第一締付部と第二締付部をクロスさせ、足首を固定できるようにしたことを特徴とするテーピング機能付きの靴下が記載されています。これにより、歩行や運動に際して、足の甲やアキレス腱を保護することが出来るとされている。この靴下も、ゴルフで着用することを想定したものとなっている。
【０００８】
さらに、特許文献３には、靴下における最下方の第一箇所の締付圧力を２０〜３０ｈＰａとし、第一箇所よりも上方の第二箇所の締付圧力を１５〜２３ｈＰａとし、第二箇所よりも上方の第三箇所の締付圧力を１３〜１９ｈＰａとし、最上方の第四箇所の締付圧力を１１〜１８ｈＰａとし、足底から足を挿入するための開口部が形成された上端部にかけて、締付圧力が弱くなるように形成した靴下が記載されている。これにより、適度なフィット感を得ることができ、疲労の回復や軽減をしたり、あるいは足のむくみを抑制したりすることも可能になる。この靴下は、野球やサッカー、ラグビーなどのスポーツで着用することを想定したものとなっている。
【０００９】
【特許文献１】特開平１１−２７９８０３号公報（［００１４］、図３）
【特許文献２】実登第３０９０７３７号公報（実用新案登録請求の範囲、［００１１］、図１）
【特許文献３】特開２００５−２４０２２２号公報（特許請求の範囲、［０００７］、［００３２］、図１）
【発明の開示】
【発明が解決しようとする課題】
【００１０】
特許文献１〜３に記載された靴下は、着用するだけで、運動機能の向上、足の甲やアキレス腱の保護、疲労の軽減、足のむくみの抑制など、様々な効果を期待できるものではあった。しかし、これらの靴下はいずれも、ゴルフ、テニス、バトミントン、野球、バレーボールなど、右足と左足に左右非対称な荷重の掛かりやすい利き足依存型のスポーツや作業をする際に着用するものとしては物足りなかった。これらの利き足依存型のスポーツや作業は、荷重を受ける箇所や疲労度が右足と左足で大きく異なる（左右非対称となる）のが一般的であるが、特許文献１〜３の靴下では、右足と左足を同じような力（左右対称な力）でサポートすることしかできなかったからである。
【００１１】
本発明は、上記課題を解決するためになされたものであり、着用者の右足と左足を左右非対称にサポートすることが可能で、ゴルフ、テニス、バトミントン、野球、バレーボールなど、右足と左足に左右非対称な荷重の掛かりやすい利き足依存型のスポーツや作業をする際に好適に着用することのできる靴下を提供するものである。特に、スライスやトップやダフリなど、ゴルフにおけるミスショットの発生を抑えることのできる靴下を提供するものである。
【課題を解決するための手段】
【００１２】
上記課題は、右足に着用するための右足用靴下と、左足に着用するための左足用靴下とで構成された一組の靴下であって、右足用靴下と左足用靴下とが左右非対称であることを特徴とする靴下を提供することによって解決される。これにより、着用者の右足と左足を左右非対称にサポートすることが可能で、ゴルフなどの利き足依存型のスポーツや作業をする際に好適に着用することのできる靴下を提供することが可能になる。
【００１３】
ここで、「右足用靴下と左足用靴下とが左右非対称である」とは、右足用靴下と左足用靴下の形状、寸法、付属品、素材又は製法などが、左右非対称であることをいう。「右足用靴下と左足用靴下とが左右非対称である靴下」の好適な例としては、右足用靴下のつま先に形成された指袋と、左足用靴下のつま先に形成された指袋とを左右非対称に形成した靴下（以下においては、この靴下を「指袋非対称型の靴下」と呼ぶことがある。）が挙げられる。これにより、右足と左足に左右非対称な感覚刺激を与えることが可能になる。したがって、荷重を受ける箇所や疲労度が右足と左足で大きく異なる場合であっても、右足と左足の感覚を鋭敏に保つこともできるようになる。
【００１４】
指袋非対称型の靴下は、指袋の配置、形状、寸法、素材、製法又は仕組みなどが右足用靴下と左足用靴下とで左右非対称なものであれば特に限定されない。指袋非対称型の靴下としては、右足用靴下のつま先に、親指、人差し指、中指及び薬指を一まとめに挿入するための内側指袋と、小指を単独で挿入するための外側指袋とを形成し、左足用靴下のつま先に、親指を単独で挿入するための内側指袋と、人差し指、中指、薬指及び小指を一まとめに挿入するための外側指袋とを形成したものが例示される。この形態の指袋非対称型の靴下は、右打ちのゴルファーやバッターなど、利き足が右足の着用者が着用するものとして好適なものとなっている。
【００１５】
指袋非対称型の靴下としては、右足用靴下のつま先に、親指を単独で挿入するための内側指袋と、人差し指、中指、薬指及び小指を一まとめに挿入するための外側指袋とを形成し、左足用靴下のつま先に、親指、人差し指、中指及び薬指を一まとめに挿入するための内側指袋と、小指を単独で挿入するための外側指袋とを形成したものも例示される。この形態の指袋非対称型の靴下は、上記（前段落）の指袋非対称型の靴下とは逆に、左打ちのゴルファーやバッターなど、利き足が左足の着用者が着用するものとして好適なものとなっている。
【００１６】
また、「右足用靴下と左足用靴下とが左右非対称である靴下」の好適な例としては、上記の指袋非対称型の靴下の他にも、右足用靴下と左足用靴下のそれぞれにテーピング加工を施し、右足用靴下に施されたテーピング加工部のパターンと、左足用靴下に施されたテーピング加工部のパターンとを左右非対称に形成した靴下（以下においては、この靴下を「テーピング非対称型の靴下」と呼ぶことがある。）が挙げられる。これによっても、右足と左足に左右非対称な感覚刺激を与えることが可能になる。
【００１７】
テーピング非対称型の靴下としては、右足用靴下における足被覆部の外側縁に沿った箇所と左足用靴下における足被覆部の内側縁に沿った箇所のそれぞれに連続したテーピング加工部を形成し、右足用靴下における足被覆部の内側縁に沿った箇所と左足用靴下における足被覆部の外側縁に沿った箇所のそれぞれに分断されたテーピング加工部を形成したものが例示される。この形態のテーピング非対称型の靴下は、右打ちのゴルファーやバッターなど、利き足が右足の着用者が着用するものとして好適なものとなっている。
【００１８】
テーピング非対称型の靴下としては、右足用靴下における内側縁に沿った箇所と左足用靴下における外側縁に沿った箇所のそれぞれに連続したテーピング加工部を形成し、右足用靴下における外側縁に沿った箇所と左足用靴下における内側縁に沿った箇所のそれぞれに分断されたテーピング加工部を形成したものも例示される。この形態のテーピング非対称型の靴下は、上記（前段落）のテーピング非対称型の靴下とは逆に、左打ちのゴルファーやバッターなど、利き足が左足の着用者が着用するものとして好適なものとなっている。
【００１９】
本発明の靴下において、着用者の足を締め付けるための締付力は、右足用靴下と左足用靴下のそれぞれにおける足先側から足元側にかけて一定であってもよいが、足先側から足元側にかけて段階的又は連続的に弱まるよう形成されていると好ましい。これにより、長時間に亘って歩行や運動を続けても、足に疲労を感じにくい靴下を得ることが可能になる。また、靴下を、足の静脈還流障害などの疾患予防に対しても有効なものとすることも可能になる。
【発明の効果】
【００２０】
以上のように、本発明によって、着用者の右足と左足を左右非対称にサポートすることが可能で、ゴルフ、テニス、バトミントン、野球、バレーボールなど、右足と左足に左右非対称な荷重の掛かりやすい利き足依存型のスポーツや作業をする際に好適に着用することが可能になる。特に、スライスやトップやダフリなど、ゴルフにおけるミスショットの発生を抑えることのできる靴下を提供することも可能になる。
【発明を実施するための最良の形態】
【００２１】
本発明の靴下の好適な実施態様について、図面を用いてより具体的に説明する。以下においては、右打ちのゴルファーが着用するものとして適した第一実施態様の靴下と、左打ちのゴルファーが着用するものとして適した第二実施態様の靴下とを例に挙げて説明するが、本発明の靴下は、これらの態様に限定されるものではなく、適宜変更を加えることができる。また、第一実施態様の靴下と、第二実施態様の靴下の用途もゴルフに限定されない。
【００２２】
１．第一実施態様の靴下
まず、第一実施態様の靴下について説明する。図１は、第一実施態様の靴下を着用した人の足元を前方から見た状態を示した斜視図である。図２は、第一実施態様の靴下における内側指袋と外側指袋の内部を示した平面図である。図３は、非着用時における第一実施態様の靴下を甲側から見た状態を示した平面図である。図４は、非着用時における第一実施態様の靴下を足裏側から見た状態を示した底面図である。
【００２３】
第一実施態様の靴下は、指袋非対称型のものとなっており、図１〜図４に示すように、右足１に着用するための右足用靴下１０と、左足２に着用するための左足用靴下２０とで構成され、右足用靴下１０のつま先に形成された内側指袋１１及び外側指袋１２と、左足用靴下２０のつま先に形成された内側指袋２１及び外側指袋２２とが左右非対称に形成されたものとなっている。
【００２４】
右足用靴下１０における内側指袋１１及び外側指袋１２と、左足用靴下２０における内側指袋２１及び外側指袋２２の配置は、特に限定されない。第一実施態様の靴下においては、図２に示すように、右足用靴下１０における内側指袋１１及び外側指袋１２の配置と、左足用靴下２０における内側指袋２１及び外側指袋２２の配置は左右非対称となっている。
【００２５】
より具体的に説明すると、右足用靴下１０のつま先には、親指１ａ、人差し指１ｂ、中指１ｃ及び薬指１ｄを一まとめに挿入するための内側指袋１１と、小指１ｅを単独で挿入するための外側指袋１２とが形成されているのに対して、左足用靴下２０のつま先には、親指２ａを単独で挿入するための内側指袋２１と、人差し指２ｂ、中指２ｃ、薬指２ｄ及び小指２ｅを一まとめに挿入するための外側指袋２２とが形成されている。
【００２６】
このように、右足１の小指１ｅを右足１の他の四指から隔離して収納し、左足２の親指２ａを左足２の他の四指から隔離して収納することによって、右足１の小指１ｅや左足２の親指２ａをその他の指よりも強く締め付けることができるようになっている。このため、第一実施態様の靴下の着用者は、右足１の外側縁（右側縁）と、左足２の内側縁（右側縁）に強い感覚刺激を付与することができるようになっている。
【００２７】
また、第一実施態様の靴下は、指袋非対称型であるだけでなく、テーピング非対称型のものともなっており、図３と図４に示すように、右足用靴下１０と左足用靴下２０のそれぞれにテーピング加工が施され、右足用靴下１０に施されたテーピング加工部のパターンと、左足用靴下２０に施されたテーピング加工部のパターンとが左右非対称に形成されたものとなっている。
【００２８】
テーピング加工部のパターンは、靴下の用途などに応じて適宜決定される。第一実施態様の靴下において、テーピング加工部は、右足用靴下１０の内側縁に設けられたテーピング加工部１３と、右足用靴下１０の外側縁に設けられたテーピング加工部１４と、右足用靴下１０の裏面に設けられたテーピング加工部１５と、左足用靴下２０の内側縁に設けられたテーピング加工部２３と、左足用靴下２０の外側縁に設けられたテーピング加工部２４と、左足用靴下２０の裏面に設けられたテーピング加工部２５とで構成されている。
【００２９】
このうち、右足用靴下１０におけるテーピング加工部１３は、着用者の右足１の親指１ａの付根付近に配されたテーピング加工部１３ａと、右足１の土踏まず付近に配されたテーピング加工部１３ｂと、右足１の足首の後方やや内側からアキレス腱に沿うように配されたテーピング加工部１３ｃと、右足１の足首の前方内側で足首の周方向に沿って配されたテーピング加工部１３ｄとで構成されている。
【００３０】
テーピング加工部１３ａとテーピング加工部１３ｂは、右足１の足裏側から内側縁を通って甲側へ延在するように設けられている。したがって、トップスイングからダウンスイングへと移行する切り返し時において、蹴り足である右足１の内側縁に掛かる負担を軽減することができるようになっている。
【００３１】
また、左足用靴下２０におけるテーピング加工部２４は、着用者の左足２の小指２ｅの付根付近に配されたテーピング加工部２４ａと、左足２の土踏まずの外側に配されたテーピング加工部２４ｂと、左足２の足首の後方やや外側からアキレス腱に沿うように配されたテーピング加工部２４ｃと、左足２の足首の前方外側で足首の周方向に沿って配されたテーピング加工部２４ｄとで構成されている。
【００３２】
テーピング加工部２４ａとテーピング加工部２４ｂは、左足２の足裏側から外側縁を通って甲側へ延在するように設けられている。したがって、ダウンスイングからインパクトを経てフィニッシュとなるまでの間に左足２の外側縁に加えられる衝撃をテーピング加工部２４ａとテーピング加工部２４ｂで受け止め、フィニッシュで重心が左に流れるのを防ぐこと（左側に壁を作ること）ができるようになっている。
【００３３】
第一実施態様の靴下においては、右足用靴下１０におけるテーピング加工部１３ａとテーピング加工部１３ｂとテーピング加工部１３ｃは互いに分断されている。このため、着用者の右足１の内側縁（左側縁）では前後方向（右足１の親指１ａの中足骨の軸線方向）にあまり強いテンションがかからないようになっている。
【００３４】
また、左足用靴下２０におけるテーピング加工部２４ａとテーピング加工部２４ｂとテーピング加工部２４ｃも互いに分断されている。このため、着用者の左足２の外側縁（左側縁）では前後方向（左足２の小指２ｅの中足骨の軸線方向）にあまり強いテンションがかからないようになっている。
【００３５】
一方、右足用靴下１０におけるテーピング加工部１４は、着用者の右足１の小指１ｅの付根付近から右足１の外側の踝付近まで配されたテーピング加工部１４ａと、右足１の足首の前方外側で足首の周方向に沿ってに配されたテーピング加工部１４ｂと、右足１の足首の後方やや外側からアキレス腱に沿うように配されたテーピング加工部１４ｃとで構成されている。このうち、テーピング加工部１４ｃは、テーピング加工部１３ｃと対になって右足１のアキレス腱を両側からサポートするようになっている。このため、ゴルフスイング時における右足１の足首の動きが安定するようになっている。
【００３６】
また、左足用靴下２０におけるテーピング加工部２３は、着用者の左足２の親指２ａの付根付近から左足２の内側の踝付近まで配されたテーピング加工部２３ａと、左足２の足首の前方内側で足首の周方向に沿って配されたテーピング加工部２３ｂと、左足２の足首の後方やや内側からアキレス腱に沿うように配されたテーピング加工部２３ｃとで構成されている。このうち、テーピング加工部２３ｃは、テーピング加工部２４ｃと対になって左足２のアキレス腱を両側からサポートするようになっている。このため、ゴルフスイング時における左足２の足首の動きが安定するようになっている。
【００３７】
第一実施態様の靴下においては、右足用靴下１０におけるテーピング加工部１４ａとテーピング加工部１４ｂとテーピング加工部１４ｃは連続して一体的に形成されている。このため、着用者の右足１の外側縁（右側縁）では、前後方向（右足１の小指１ｅの中足骨の軸線方向）にテンションがかかりやすくなっている。このため、外側指袋１２と相まって、右足１の外側縁に加えられる感覚刺激をより際立たせることができるようになっている。
【００３８】
左足用靴下２０におけるテーピング加工部２３ａとテーピング加工部２３ｂとテーピング加工部２３ｃも連続して一体的に形成されている。このため、着用者の左足２の内側縁（右側縁）では、前後方向（左足２の親指２ａの中足骨の軸線方向）にテンションがかかりやすくなっている。このため、内側指袋２１と相まって、左足２の内側縁に加えられる感覚刺激をより際立たせることができるようになっている。
【００３９】
さらに、第一実施態様の靴下は、図４に示すように、右足用靴下１０の裏面における踵の前方となる部分に、テーピング加工部１３とテーピング加工部１４とを連結するテーピング加工部１５が設けられている。同様に、左足用靴下２０の裏面における踵の前方となる部分に、テーピング加工部２３とテーピング加工部２４とを連結するテーピング加工部２５が設けられている。このため、右足１や左足２の足裏のアーチを保ちやすく、ゴルフスイングを安定させることができるようになっている。また、靴下を着用者の足にフィットさせて、足の疲労を軽減することも可能なものとなっている。
【００４０】
ところで、第一実施態様の靴下においては、図１に示すように、右足用靴下１０におけるテーピング加工部１４ａの前端に、外側指袋１２を外側（右足１の小指１ｅを開く側）に付勢するためのテーピング加工部１４ｄを設け、左足用靴下２０におけるテーピング加工部２３ａの前端に、内側指袋２１を内側（左足１の親指１ａを開く側）に付勢するためのテーピング加工部１３ｄを設けることも好ましい。
【００４１】
バックスイングで重心が右足１に移動する際には、右足１の小指１ｅが薬指１ｄの下側に入り込んだり、左足２の親指２ａが人差し指２ｂの下側に入り込んだりしてバランスを崩すおそれもある。しかし、このように、テーピング加工部１４ｄとテーピング加工部２３ｄを設けておくことによって、右足１の小指１ｅと左足２の親指２ａを開く方向に付勢することが可能になるので、この問題を解決することが可能になる。
【００４２】
また、靴下へのテーピング加工の施し方は、所望のテーピング効果を奏させることができるのであれば特に限定されない。例えば、靴下本体を形成している生地とは別体からなるテーピング材を靴下本体における所定箇所に固着することによって設けてもよいし、靴下本体の生地を形成している糸（以下においては、「本体形成糸」と呼ぶことがある。）とは別の糸（以下においては、「テーピング形成糸」と呼ぶことがある。）を靴下本体における所定箇所に縫い込むことによって設けてもよいし、靴下本体における所定箇所の生地を他の生地（通常、靴下の生地よりも伸縮性のない生地）で切り替えることによって設けてもよい。
【００４３】
第一実施態様の靴下においては、右足用靴下１０におけるテーピング加工部１３〜１５と左足用靴下２０におけるテーピング加工部２３〜２５の全てを、靴下本体における所定箇所にテーピング形成糸を縫い込むことによって設けている。このため、テーピング加工部１３〜１５及びテーピング加工部２３〜２５を靴下本体に一体的に形成することができるようになっている。靴下本体におけるテーピング形成糸が縫い込まれた部分は、テーピング形成糸が縫い込まれている分、他の部分よりも生地が厚手になっており、伸縮しにくくなっている。このため、着用者の足を局所的に締め付けることができるようになっており、所望のテーピング効果を得ることが可能となっている。
【００４４】
また、第一実施態様の靴下においては、着用者の足を締め付けるための締付力が、右足用靴下と左足用靴下のそれぞれにおける足先側から足元側にかけて弱まるよう形成されている。具体的には、図１、図３又は図４に示すように、靴下を、その長手方向に略均等に分割する環状仮想線をＣ１〜Ｃ５とし、最も足先側にある環状仮想線Ｃ１から最も足元側にある環状仮想線Ｃ５までのそれぞれの環状仮想線Ｃ１〜Ｃ５に沿った靴下の締付力をそれぞれ順にＦ１〜Ｆ５とすると、Ｆ５＜Ｆ４＜Ｆ３＜Ｆ２＜Ｆ１の関係が成立している。これにより、足が疲れにくいだけでなく、足の静脈還流障害などの疾患予防に有効な靴下を得ることも可能になる。
【００４５】
この場合、締付力Ｆ１〜Ｆ５の具体的な値は特に限定されない。しかし、締付力Ｆ１〜Ｆ５が小さすぎると、靴下のフィット感がなくなって靴下がずれ落ちやすくなるだけでなく、テーピング加工によるテーピング効果も奏されにくくなるおそれがある。一方、締付力Ｆ１〜Ｆ５が強すぎると、靴下の圧迫感が強くなって足が疲れを感じやすくなるだけでなく、足の血行が悪くなるおそれもある。締付力Ｆ１〜Ｆ５は、靴下の用途などに応じて適宜調整される。
【００４６】
以上で説明した第一実施態様の靴下を着用してゴルフスイングをすると、テーピング加工部１３〜１５及びテーピング加工部２３〜２５によって右足１及び左足２の縦アーチと横アーチが保たれやすくなっているので、アドレスでしっかりとした安定感を得ることができる。また、バックスイングからトップスイングを経てダウンスイングとなる切り返し時には、テーピング加工部１３ａによって蹴り足である右足１に負担が掛からないようにすることが可能になっている。さらに、オーバースイングを防いで切り返しのタイミングを合わせやすいので、ゴルフスイングをパワーロスのない効率的なものとして、体の負担を軽減することも可能である。さらにまた、ダウンスイングからインパクトとフォロースルーを経てフィニッシュとなるまでの体重移動をスムーズに行うこともできるようになる。
【００４７】
３．第二実施態様の靴下
続いて、第二実施態様の靴下について説明する。図５は、第二実施態様の靴下における内側指袋と外側指袋の内部を示した平面図である。図６は、非着用時における第二実施態様の靴下を甲側から見た状態を示した平面図である。図７は、非着用時における第二実施態様の靴下を足裏側から見た状態を示した底面図である。
【００４８】
第二実施態様の靴下も、第一実施態様の靴下と同様、指袋非対称型であるだけでなく、テーピング非対称型のものとなっている。第二実施態様の靴下における右足用靴下３０は、図５〜図７に示すように、内側指袋３と外側指袋３２とテーピング加工部３３〜３５のそれぞれの配置が、第一実施態様の靴下における右足用靴下１０（図２〜図６）の内側指袋１１と外側指袋１２とテーピング加工部１３〜１５の配置と左右が逆になっている。同様に、第二実施態様の靴下における左足用靴下４０は、図５〜図７に示すように、内側指袋４１と外側指袋４２とテーピング加工部４３〜４５の配置が、第一実施態様の靴下における左足用靴下２０（図２〜図６）の内側指袋２１と外側指袋２２とテーピング加工部２３〜２５の配置と左右が逆になっている。
【００４９】
第二実施態様の靴下における指袋やテーピング加工部は、第一実施態様の靴下の説明における「右」と「左」を置換し、符号を付け直しただけのものとほぼ同様であるために説明を割愛する。第二実施態様の靴下におけるテーピング加工の施し方や締付力などについても、第一実施態様の靴下とほぼ同様であるために説明を割愛する。第二実施態様の靴下は、第一実施態様の靴下の着用者と利き腕（利き足）の異なる人に着用されることを想定したものとなっている。例えば、左打ちのゴルファーは、第二実施態様の靴下を着用すると、第一実施態様の靴下を着用した右打ちのゴルファーとほぼ同じ感触を得ることができ、スライスやトップやダフリなどのミスショットの発生を抑えることができる。
【００５０】
４．用途
本発明の靴下は、その用途を限定されるものではなく、幅広い場面で使用することができる。なかでも、ゴルフ、テニス、バトミントン、野球、バレーボールなど、右足と左足に左右非対称な荷重の掛かりやすい利き足依存型のスポーツや作業をする際に着用するものとして好適である。特に、ゴルフ用靴下として好適である。
【図面の簡単な説明】
【００５１】
【図１】第一実施態様の靴下を着用した人の足元を前方から見た状態を示した斜視図である。
【図２】第一実施態様の靴下における内側指袋と外側指袋の内部を示した平面図である。
【図３】非着用時における第一実施態様の靴下を甲側から見た状態を示した平面図である。
【図４】非着用時における第一実施態様の靴下を足裏側から見た状態を示した底面図である。
【図５】第二実施態様の靴下における内側指袋と外側指袋の内部を示した平面図である。
【図６】非着用時における第二実施態様の靴下を甲側から見た状態を示した平面図である。
【図７】非着用時における第二実施態様の靴下を足裏側から見た状態を示した底面図である。
【符号の説明】
【００５２】
１    右足
１ａ  親指（第一指）
１ｂ  人差し指（第二指）
１ｃ  中指（第三指）
１ｄ  薬指（第四指）
１ｅ  小指（第五指）
２    左足
２ａ  親指（第一指）
２ｂ  人差し指（第二指）
２ｃ  中指（第三指）
２ｄ  薬指（第四指）
２ｅ  小指（第五指）
１０    右足用靴下（第一実施態様）
１１    内側指袋
１２    外側指袋
１３    テーピング加工部
１４    テーピング加工部
１５    テーピング加工部
２０    左足用靴下（第一実施態様）
２１    内側指袋
２２    外側指袋
２３    テーピング加工部
２４    テーピング加工部
２５    テーピング加工部
３０    右足用靴下（第二実施態様）
３１    内側指袋
３２    外側指袋
３３    テーピング加工部
３４    テーピング加工部
４０    左足用靴下（第二実施態様）
４１    内側指袋
４２    外側指袋
４３    テーピング加工部
４４    テーピング加工部
Ｃ１   環状仮想線
Ｃ２   環状仮想線
Ｃ３   環状仮想線
Ｃ４   環状仮想線
Ｃ５   環状仮想線
【図１】
0005260149.tif 000002
【図２】
0005260149.tif 000003
【図３】
0005260149.tif 000004
【図４】
0005260149.tif 000005
【図５】
0005260149.tif 000006
【図６】
0005260149.tif 000007
【図７】
0005260149.tif 000008